(57)【要約】【課題】不正行為者により所謂ドツキが行われた際、機械的構造のみで、振分け部を移動する遊技球を外れ領域側に強制的に移動させるようにした弾球遊技機を提供する。【解決手段】入球役物２１では、機械的抽選部６２の振分け部２７が、第２大入賞口１４から導入された遊技球を当たり領域２０ａに案内する当たりルート２７ａと、該遊技球Ｂａを外れ領域２０ｂに案内すると共に遊技盤と略々垂直な方向に衝撃が作用した際の該衝撃の作用方向にて隣接する外れルート２７ｂとを有し、当たりルート２７ａを遊技球が転動している際に遊技盤と略々垂直な方向に振動が作用した際に該遊技球を外れ領域２０ｂ側に移行させるように構成される。これにより、所謂ドツキの行為自体を機構上無意味にすることで、不正行為者に、やっても無駄だということを認識させ、不正行為を極めて有効に抑止できる。【選択図】図３
2010167100.tif 000002
【特許請求の範囲】
【請求項１】
遊技盤に設けられた遊技領域に、所定の契機で開閉動作して入賞口を開閉させる開閉部材を有しかつ該開閉部材の開放時に導入した遊技球を用いて機械的な抽選を行う機械的抽選部を有する入球役物を備え、前記遊技領域に遊技球を打ち出して遊技してなる弾球遊技機において、
前記機械的抽選部に、当選を決定する当たり領域及び該当たり領域に隣接位置して落選を決定する外れ領域と、前記入賞口から導入された遊技球を前記当たり領域及び前記外れ領域の何れかに振り分ける振分け部と、前記当たり領域に接近する遊技球の該当たり領域への進入を許容する許容位置と阻止する阻止位置とに連続的に切換わる障害部材と、を設け、
前記振分け部は、前記入賞口から導入された遊技球を前記当たり領域に案内する当たりルートと、前記入賞口から導入された遊技球を前記外れ領域に案内すると共に前記遊技盤と略々垂直な方向に衝撃が作用した際の該衝撃の作用方向にて隣接する外れルートと、を有し、かつ前記当たりルートを遊技球が転動している際に前記遊技盤と略々垂直な方向に振動が作用した際に該遊技球を前記外れ領域側に移行させるように構成される、
ことを特徴とする弾球遊技機。
【請求項２】
前記当たりルートは、前記当たり領域の直前位置にて遊技球を前記外れ領域側に移動させ得る移動可能面を有してなる、
請求項１記載の弾球遊技機。
【請求項３】
前記振分け部の前段には、前記入賞口から導入された遊技球を前記当たりルート及び前記外れルートの何れかに振り分けるように一定の時間間隔で回動している振分け板部材が配置され、かつ、
前記当たりルートには、前記振分け板部材が該当たりルート側に遊技球を振り分けた際に該遊技球を前記当たり領域に案内するように延在するレール状凹部が設けられてなる、
請求項１又は２記載の弾球遊技機。
【請求項４】
前記機械的抽選部を覆うカバー部材を備え、かつ、
該カバー部材は、半透明性の合成樹脂材料により構成される、
請求項１ないし３のいずれか１項記載の弾球遊技機。
【発明の詳細な説明】
【技術分野】
【０００１】
本発明は、パチンコ機等の弾球遊技機に係り、詳しくは、入球した遊技球の移動ルートを振り分ける振分け部を遊技領域に備えた弾球遊技機に用いて好適な不正行為防止構造に関する。
【背景技術】
【０００２】
従来より、弾球遊技機として、所謂第１種パチンコ機や所謂第２種パチンコ機と称されるものが存在する。これらのパチンコ機では、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されている。
【０００３】
所謂第１種パチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる（特許文献１参照）。
【０００４】
また、所謂第２種パチンコ機では、所定の遊技領域が設けられた遊技盤と、遊技領域に設けられて遊技球が通過可能な始動口と、遊技領域に設けられて側部に形成された大入賞口を通じて遊技球が内部に入球可能な役物と、該役物の外周部に設けられて大入賞口を開閉可能な羽根部材とを備え、始動口を遊技球が通過することを契機として開閉部材が大入賞口を開放し、羽根部材に拾われて大入賞口に入賞した遊技球が、役物外部に排出するための排出口かＶゾーンの何れかに機械的抽選で振り分けられ、該Ｖゾーンに進入した場合、開閉部材が大入賞口を比較的長い時間開放して遊技球の入賞を容易にして遊技者に特別遊技を行わせる（特許文献２参照）。
【０００５】
また近年、所謂第１種及び第２種パチンコ機双方の機能を併せ持つような所謂１種２種パチンコ機と呼ばれる弾球遊技機が開発されている。このような所謂１種２種パチンコ機では、遊技開始後、遊技領域の始動チャッカーに遊技球が入賞すると、主制御基板に備えたソフト的な抽選手段による大当たり抽選が行われ、該大当たり抽選に当選した場合、遊技領域に配置された大入賞口が所定ラウンド数だけ開閉動作し、その間に入賞した遊技球にそれぞれ対応する個数だけ賞球を得ることができる。そして、大当たりに際して画像表示装置の画面上に表示されたが特定の図柄である場合は、大入賞口での所定ラウンド数の賞球を終了した時点で、遊技領域の中央部に備えたセンター役物の上側に設けられた別の大入賞口の開閉部材が複数回開閉動作を行うようになり、その際に開閉部材に拾われた遊技球が、センター役物内を転動移動しながら振り分けられて機械的抽選が行われる。この抽選でＶゾーンに入賞すると、所謂２種遊技の大当たりが発生し、センター役物の上側の大入賞口が所定ラウンド数だけ開閉動作し、その間に入賞した遊技球にそれぞれ対応する個数だけ賞球を得ることができる。
【０００６】
以上のような所謂第２種の機能を備えるパチンコ機では、開閉部材の開閉時にセンター役物に入賞した遊技球をＶゾーンと外れゾーンとに振り分ける振分け部を有しており、善意の遊技者は、該振分け部を遊技球が通過する際にその状況を単に目視しているだけであるが、悪意の遊技者（不正行為者、所謂ゴト師）は、振分け部を遊技球が通過する際に、その状況を視認しながら適宜のタイミングで球受け皿等を強く叩いて（所謂ドツキ）振動を与え、外れゾーンに振り分けられようとする遊技球を無理矢理Ｖゾーン側に移行させようとする。
【０００７】
このように、ドツキによってＶゾーンに無理矢理移行させるような不正行為（所謂ゴト）が横行すると、遊技場（所謂ホール）が不利益を被るだけでなく、周囲の他の遊技者に騒音や不快感、或いは不公平感を与えることにもなり、好ましくない。
【０００８】
そこで、このような問題を解消する目的から、以下のような弾球遊技機が提案されている（特許文献３参照）。即ち、該特許文献３記載の弾球遊技機では、磁気センサにより遊技球が検出されると乱数を取得し、該乱数取得に基づき、大当りを発生させるか否かを判定し、当りと判定された際には、回転体を、当りの凹部が下側に至る位置で回転を停止させ、外れと判定された際には、回転体を、外れの凹部が下側に至る位置で回転を停止させるように構成されている。このような弾球遊技機では、回転体を用いているため、遊技球が回転体によって有利領域又は不利領域へと誘導される様子を遊技者が視認することができ、大当りに至るプロセスを豊かにしながらも、実際には電子的な抽選により当否を決定するため、振動を加えたり、回転体の角度を狙い打ったりしても攻略されることはない。
【先行技術文献】
【特許文献】
【０００９】
【特許文献１】特開２００３−２３６２１０号公報
【特許文献２】特開２００４−８９２１８号公報
【特許文献３】特開２００４−２１５７８８号公報
【発明の概要】
【発明が解決しようとする課題】
【００１０】
しかし、上記特許文献３記載の弾球遊技機によると、大当りに至るプロセスを豊かにしながら、搭載した磁気センサや振動センサにて、不正行為を行い難い構造を備えることはできるものの、それらの機能は各センサの検知能力に依存することになり、従って、各センサ機能が何らかの原因で落ちた場合には不正行為を検知することができなくなり、所謂ドツキゴトを防止することは極めて難しい。
【００１１】
そこで本発明は、不正行為者によって所謂ドツキが行われた場合、機械的構造のみにより、振分け部を移動する遊技球を外れゾーン（外れ領域）側に強制的に移行させ得るように構成した弾球遊技機を提供することを目的とする。
【課題を解決するための手段】
【００１２】
請求項１に係る本発明は（例えば図１ないし図８参照）、遊技盤（１０）に設けられた遊技領域（ＰＡ）に、所定の契機で開閉動作して入賞口（１４）を開閉させる開閉部材（４６）を有しかつ該開閉部材（４６）の開放時に導入した遊技球（Ｂａ）を用いて機械的な抽選を行う機械的抽選部（６２）を有する入球役物（２１）を備え、前記遊技領域（ＰＡ）に遊技球（Ｂａ）を打ち出して遊技してなる弾球遊技機（ＰＭ）において、
前記機械的抽選部（６２）に、当選を決定する当たり領域（２０ａ）及び該当たり領域（２０ａ）に隣接位置して落選を決定する外れ領域（２０ｂ）と、前記入賞口（１４）から導入された遊技球（Ｂａ）を前記当たり領域（２０ａ）及び前記外れ領域（２０ｂ）の何れかに振り分ける振分け部（２７）と、前記当たり領域（２０ａ）に接近する遊技球（Ｂａ）の該当たり領域（２０ａ）への進入を許容する許容位置と阻止する阻止位置とに連続的に切換わる障害部材（４４）と、を設け、
前記振分け部（２７）は、前記入賞口（１４）から導入された遊技球（Ｂａ）を前記当たり領域（２０ａ）に案内する当たりルート（２７ａ）と、前記入賞口（１４）から導入された遊技球（Ｂａ）を前記外れ領域（２０ｂ）に案内すると共に前記遊技盤（１０）と略々垂直な方向に衝撃が作用した際の該衝撃の作用方向にて隣接する外れルート（２７ｂ）と、を有し、かつ前記当たりルート（２７ａ）を遊技球（Ｂａ）が転動している際に前記遊技盤（１０）と略々垂直な方向に振動が作用した際に該遊技球（Ｂａ）を前記外れ領域（２０ｂ）側に移行させるように構成される、
ことを特徴とする弾球遊技機（ＰＭ）にある。
【００１３】
なお、本発明における「入球」は、遊技球の導入によって入賞を得られない単なる「入球」は勿論、遊技球の導入によって賞球を得られる「入賞」をも含む広い概念である
【００１４】
請求項２に係る本発明は（例えば図３ないし図８参照）、前記当たりルート（２７ａ）は、前記当たり領域（２０ａ）の直前位置にて遊技球（Ｂａ）を前記外れ領域（２０ｂ）側に移動させ得る移動可能面（５７）を有してなる、
請求項１記載の弾球遊技機（ＰＭ）にある。
【００１５】
請求項３に係る本発明は（例えば図３ないし図８参照）、前記振分け部（２７）の前段には、前記入賞口（１４）から導入された遊技球（Ｂａ）を前記当たりルート（２７ａ）及び前記外れルート（２７ｂ）の何れかに振り分けるように一定の時間間隔で回動している振分け板部材（５３）が配置され、かつ、
前記当たりルート（２７ａ）には、前記振分け板部材（５３）が該当たりルート（２７ａ）側に遊技球（Ｂａ）を振り分けた際に該遊技球（Ｂａ）を前記当たり領域（２０ａ）に案内するように延在するレール状凹部（２８）が設けられてなる、
請求項１又は２記載の弾球遊技機（ＰＭ）にある。
【００１６】
請求項４に係る本発明は（例えば図３ないし図８参照）、前記機械的抽選部（６２）を覆うカバー部材（４５）を備え、かつ、
該カバー部材（４５）は、半透明性の合成樹脂材料により構成される、
請求項１ないし３のいずれか１項記載の弾球遊技機（ＰＭ）にある。
【００１７】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１８】
請求項１に係る本発明によると、機械的抽選部の振分け部は、入賞口から導入された遊技球を当たり領域に案内する当たりルートと、入賞口から導入された遊技球を外れ領域に案内すると共に遊技盤と略々垂直な方向に衝撃が作用した際の該衝撃の作用方向にて隣接する外れルートとを有し、当たりルートを遊技球が転動している際に遊技盤と略々垂直な方向に振動が作用した際に該遊技球を外れ領域側に移行させるように構成されるので、遊技球が振分け部で当たりルート側に振り分けられて当たり領域に向けて転がり移動する際に障害部材が阻止位置にあるとき、不正行為者が遊技機の球皿等を強く叩いて衝撃を与え、その振動で当たりルートでの遊技球の移動を遅らせて、障害部材が許容位置に移動するまでの時間稼ぎをしようとしても、振分け部に振動が作用した時点で遊技球が外れ領域側に移行することになる。このように、叩くと遊技球が不利な方向に移動するように機械的に構成し、所謂ドツキの行為自体を機構上無意味にすることで、ドツキを何度か試す不正行為者に、やっても無駄だということを認識させ、不正行為を極めて有効に抑止することができる。そして、振動が加わった場合に、通過している遊技球を外れ領域に機械的に導くように構成されるため、比較的簡単な構成で不正行為防止構造を実現することができ、従って、センサを複数設けてその検知能力に依存するような従前の技術に比して極めて廉価に提供することができる。
【００１９】
請求項２に係る本発明によると、当たりルートが、当たり領域の直前位置にて遊技球を外れ領域側に移動させ得る移動可能面を有するので、障害部材により当たり領域への進入を阻止された遊技球を外れ領域側に円滑に移動させることができると共に、当たり領域の直前位置に遊技球があるときに振動が加えられた際に該遊技球を外れ領域側に確実に移行させることができる。
【００２０】
請求項３に係る本発明によると、振分け部の前段には、入賞口から導入された遊技球を当たりルート及び外れルートの何れかに振り分けるように一定の時間間隔で回動する振分け板部材が配置され、かつ当たりルートには、振分け板部材が該当たりルート側に遊技球を振り分けた際に該遊技球を当たり領域に案内するように延在するレール状凹部が設けられるので、該レール状凹部に遊技球が案内されて当たり領域に向かっている際に不正行為者が振動を与えた場合にも、該遊技球をレール状凹部から外れルート側に落下させて、該外れルートを介して外れ領域側に転動させるようにすることが可能となる。
【００２１】
請求項４に係る本発明によると、機械的抽選部を覆うカバー部材を備え、カバー部材が半透明性の合成樹脂材料により構成されるので、振分け部、当たり領域、外れ領域等が、遊技者側から視認し難くなることで、不正行為を試行錯誤で実行しようとする不正行為者の意欲を低減することができる。
【図面の簡単な説明】
【００２２】
【図１】本発明に係るパチンコ機の外部構造を示す正面図である。
【図２】本パチンコ機の背面構造を示す背面図である。
【図３】遊技領域に備えた入球役物を単体で示す斜視図である。
【図４】入球役物を示す正面図である。
【図５】入球役物を上方から見下ろした状態で示す平面図である。
【図６】入球役物を図５のＡ−Ａに沿って切断して矢視方向に見た状態を示す正面断面図である。
【図７】入球役物を図４のＢ−Ｂに沿って切断して矢視方向に見た状態を示す側面断面図である。
【図８】入球役物を図４のＣ−Ｃに沿って切断して矢視方向に見た状態を示す平面断面図である。
【発明を実施するための形態】
【００２３】
以下、本発明に係る弾球遊技機の実施形態として、遊技場等に設置されるパチンコ機ＰＭを図面に沿って説明する。なお、本実施形態は、所謂第１種及び第２種パチンコ機双方の機能を併せ持つ所謂１種２種パチンコ機を例に挙げて説明するが、本発明はこれに限らず、所謂第２種パチンコ機の機能を備えるパチンコ機であれば他の形式のものにも適用し得ることは勿論である。
【００２４】
本パチンコ機（弾球遊技機）ＰＭは、図１に示すように、外郭方形枠サイズに構成されて縦向きの固定保持枠をなす外枠１の開口前面に、これに合わせた方形枠サイズに構成される開閉搭載用の前枠２の左側上下部に対向するように配設されたヒンジ部材３ａ，３ｂで横開き開閉及び着脱が可能に取り付けられ、右側中央部に設けられた施錠装置４を利用して常には外枠１と係合された閉鎖状態に保持される。
【００２５】
前枠２の各部には、パチンコ遊技を展開する遊技展開部材として、前枠２の前側面域に合わせた方形状のガラス扉５及び球皿６が正面左側部に設けられたヒンジ機構７ａ，７ｂ，７ｃを利用して横開き開閉及び着脱が可能に組付けられ、球皿６の右側下部には遊技球の発射操作を行う操作ハンドル８が装備されている。球皿６の左側下部には、遊技ボタン２４ａを有する操作装置２４が配設されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０正面の遊技領域ＰＡを臨ませている。なお、上記外枠１及び前枠２等により遊技機本体が構成されている。ガラス扉５の前面には、遊技領域ＰＡの全体を覆うように不図示の透明ガラスが装着されている。
【００２６】
遊技盤１０の遊技領域ＰＡには、図示しない障害釘が多数打ち込まれており、遊技領域ＰＡの中央部近傍には、上部に入球役物２１を備えたセンター飾り（役物装置）１００が配設されている。該入球役物２１は、第２大入賞口（入賞口）１４を左上部に露出した状態で備えている。センター飾り１００の中央部には矩形状の開口部１１が形成されており、該開口部１１には、遊技に関する演出表示を行う画像表示装置１２がその表示部１２ａを露出した状態で設けられている。即ち、センター飾り１００は、左側部の中央近傍にワープ導入口４２を有しており、該ワープ導入口４２及びステージＳにて囲まれるように上記開口部１１を備えている。
【００２７】
遊技領域ＰＡの下部には、始動入賞装置（始動入賞口）１３，１７が順次配設されている。始動入賞装置１３，１７は、それぞれ当たり抽選実行の契機となり得る入賞が行われるものであり、始動入賞装置１７は、不図示のソレノイドによって開放位置と閉止位置とに開閉動作するように作動させられる所謂チューリップ状に構成されている。始動入賞装置１３は、開閉作動式ではない非作動な入賞口として構成されている。始動入賞装置１７は、その直上方に位置する始動入賞装置１３の存在により、開放時にのみ入賞し得るように構成される。始動入賞装置１３の直上方には、所謂命釘としての一対の障害釘が打ち込まれている。該一対の障害釘の間を遊技球が通過すると、該遊技球は、始動入賞装置１３内に設けられた入賞検出センサ（図示せず）で検出された後、遊技盤１０の裏面側へ排出される。また始動入賞装置１７は、遊技球が入ると、該遊技球は、始動入賞装置１７内に設けられた入賞検出センサ（（図示せず）で検出された後、遊技盤１０の裏面側へ排出される。
【００２８】
始動入賞装置１７の下方には、第１大入賞口１６ａを開閉可能な第１大入賞装置１６が設けられる。該第１大入賞装置１６は、大当たり遊技等の通常遊技よりも遊技者に有利となる特別遊技の実行中に、第１大入賞口ソレノイド（図示せず）によって第１大入賞口１６ａを開放し、遊技球を該第１大入賞口１６ａに対して通過容易にする。
【００２９】
第１大入賞口１６ａは、遊技領域ＰＡの下部に設けられた矩形形状の入賞口であり、閉鎖状態にあるときには、遊技球は第１大入賞口１６ａを通過することができず、開放状態になったときに、遊技球が第１大入賞口１６ａを通過することが可能となる。遊技球が、第１大入賞口１６ａを通過すると、第１大入賞装置１６内に設けられた入賞検出センサ（図示せず）によって検出された後、遊技盤１０の裏面側へ排出される。
【００３０】
遊技領域ＰＡにおける始動入賞装置１３，１７の左方には、普通図柄作動ゲート１５が配設されており、該普通図柄作動ゲート１５は、いわゆるチューリップ状の始動入賞装置１７を開閉動作させるための抽選の契機となる遊技球の通過が行われるものである。
【００３１】
また、遊技領域ＰＡの左下部には、普通入賞口１８ａを有する複数の普通入賞装置１８が設けられ、流下してくる遊技球が普通入賞口１８ａを通過すると、普通入賞装置１８内に設けられた入賞検出センサ（図示せず）で検出された後、遊技盤１０の裏面側へ排出される。また、遊技領域ＰＡの下端には、遊技領域ＰＡに打ち出された後、いずれの入賞装置にも入賞せずに落下してきた遊技球を遊技盤１０の裏面側へ排出させるアウト口１９が設けられている。なお、上述の複数の入賞検出センサ（図示せず）は、いずれも近接センサ等で構成されている。
【００３２】
球皿６に前面側が覆われた前枠２の下部領域には、遊技補助盤（図示せず）と称される補助機構部が形成されており、この遊技補助盤の各部には、打球発射装置（図示せず）や、裏セット盤３０（図２参照）側の賞球排出通路３５と連絡され、球皿６に排出できない遊技球を一時貯留する貯留カセット（図示せず）などが設けられている。なお、図１中の符号７９は、操作ハンドル８の操作で打ち出された遊技球Ｂａを遊技領域ＰＡに案内する案内レールである。また図１中の符号９は、現在の遊技状態を発光の違いで示す状態表示装置である。
【００３３】
前枠２の裏面側には、図２に示すように、中央に前後連通する窓口を有して前枠２よりもやや小型の方形枠状に形成された裏セット盤３０が、前枠２の裏面に設けられた複数のレバーＬ，Ｌ…を利用して着脱可能にセット保持されている。裏セット盤３０の各部には、遊技球を貯留する球貯留タンク３１、タンクレール３２、整列待機通路３３、賞球カセット３４、賞球排出通路３５などの賞球装置が装備されると共に、裏面各部に電源基板４０や主制御基板５０等の各種制御基板及び電子部品等が取り付けられ、これらの各機器及び遊技盤１０の裏面に取り付けられた副制御基板６０が、不図示のワイヤーハーネスで接続されている。
【００３４】
ついで、上述のセンター飾り１００に備えた入球役物２１の詳細構成を図３ないし図８に沿って説明する。
【００３５】
入球役物２１は、外枠１及び前枠２等から構成される遊技機本体に備えた遊技盤１０の遊技領域ＰＡ（図１参照）に、センター飾り１００に装着された状態で配置されている。該入球役物２１は、図３及び図４に示すように、第２大入賞口（入賞口）１４と、機械的抽選部６２と、回転振分け部５４とを備えた状態で、全体がカバー部材４５によって覆われている。該カバー部材４５は、半透明性の合成樹脂材料により構成されており、内部にある機械的抽選部６２の後述する振分け部２７、当たり領域２０ａ、外れ領域２０ｂ等が、遊技者側から視認し難くなることで、不正行為を試行錯誤で実行しようとする不正行為者の意欲を低減させることができる。
【００３６】
上記第２大入賞口１４は、図３及び図４に示すように、全体的にカバー部材４５の上側部４５ａにより覆われており、略々矩形状のベース部２２と、所定の契機で開閉動作して該第２大入賞口１４を開閉させる開閉部材４６と、ベース部２２の略々中央部に設けられた開閉部材４６の回動軸２５と、ベース部２２の背面側に固定された開閉部材駆動ソレノイド２３（図４には不図示）と、ベース部２２における回動軸２５の一側部に形成された遊技球導入口２２ａと、ベース部２２に装着された近接センサからなる入賞検出センサ２６とを有している。
【００３７】
上記開閉部材４６は、回動軸２５を中心とする扇形状に構成されており、円弧部分をカバー部材４５から遊技領域ＰＡ側に露出させると共に、中心角部分を上側部４５ａ内にて回動軸２５に連結されている。該回動軸２５は、連動機構５６（図５参照）を介して開閉部材駆動ソレノイド２３のプランジャ（図示せず）に連結されており、該開閉部材駆動ソレノイド２３のプランジャが伸長した状態にて開閉部材４６が図４に示す閉止状態になり、該ソレノイド２３のプランジャが後退した（縮んだ）状態にて、開閉部材４６は図４の時計回り方向（矢印ａ方向）に回動して開放状態となる。
【００３８】
上記入賞検出センサ２６は、検知孔２６ａを遊技球導入口２２ａ内に向けるように配置されており、開閉部材４６の開放動作で開放した第２大入賞口１４に導入された遊技球Ｂａが、上側部４５ａに設けられた導入部４５ｃを介して遊技球導入口２２ａに導かれると、検知孔２６ａを通過した際に該遊技球Ｂａを検出する。なお、上記所定の契機とは、本実施形態においては、後述する第１の特別遊技において小当たりに当選した場合のことであり、当該契機が到来した際、不図示の制御部の制御で開閉部材４６が開閉動作されて、第２大入賞口１４が所定回数開閉される。
【００３９】
上記機械的抽選部６２は、全体的にカバー部材４５の中央部４５ｂによって覆われ、開閉部材４６の開放時に第２大入賞口１４に導入されて入賞検出センサ２６で入球検知された後の遊技球Ｂａを用いて機械的な抽選を行うように構成されている。該機械的抽選部６２は、第２大入賞口１４から導入されて検知孔２６ａを通過して落下する遊技球Ｂａを受け止めて下流へ流すように緩く傾斜した着地面５５と、当選を決定する当たり領域２０ａ及び該当たり領域２０ａに隣接位置して落選を決定する外れ領域２０ｂと、上記着地面５５を経由して流下した遊技球Ｂａを当たり領域２０ａ及び外れ領域２０ｂの何れかに振り分ける振分け部２７と、当たり領域２０ａに接近する遊技球Ｂａの該当たり領域２０ａへの進入を許容する許容位置（図８に示す位置）と阻止する阻止位置とに連続的に切換わる回転部材（障害部材）４４とを有している。
【００４０】
上記振分け部２７は、図７及び図８に示すように、着地面５５（図４参照）に着地して下流側に流動する遊技球Ｂａを、当たり領域２０ａ側に案内する直線状のレール状凹部２８を有する当たりルート２７ａと、外れ領域２０ｂ側に案内するように突起状のリブ２９と、カバー部材４５の下側部４５ｄに形成された内壁部５９とで区画された外れルート２７ｂとを備えている。該レール状凹部２８は、後述の振分け板部材５３が当たりルート２７ａ側に遊技球Ｂａを振り分けた際に該遊技球Ｂａを当たり領域２０ａに案内するように直線状に延在している。上記振分け部２７は、当たりルート２７ａを遊技球Ｂａが転動している際に、所謂ドツキにより遊技盤１０と略々垂直な方向（図７の右方向、図８の上方向）に振動が作用した場合、該遊技球Ｂａを外れ領域２０ｂ側に移行させるように構成されている。
【００４１】
上記当たりルート２７ａは、第２大入賞口１４から導入された遊技球Ｂａを当たり領域２０ａに案内する。上記外れルート２７ｂは、第２大入賞口１４から導入された遊技球Ｂａを外れ領域２０ｂに案内すると共に、遊技盤１０と略々垂直な方向に衝撃が作用した際の該衝撃の作用方向（図７の右方向、図８の上方向）にて隣接するように、当たりルート２７ａと並行するように設けられている。当たりルート２７ａは、レール状凹部２８により案内された遊技球Ｂａを一旦着地させて当たり領域２０ａに案内する段差面（移動可能面）５７を有している。該段差面５７は、当たり領域２０ａの直前位置にて遊技球Ｂａを外れ領域２０ｂ側に移動させ得るように、隣接する段差面５８側に緩く傾斜している。該段差面５８は、外れ領域２０ｂ側に緩く傾斜している。なお、該レール状凹部２８の着地面５５側に向く先端部分は、外れルート２７ｂ側に傾斜するように尖る傾斜部２８ａが形成されており、外れルート２７ｂ側に向かおうとする遊技球Ｂａを積極的にはレール状凹部２８に導入しないように構成されている。
【００４２】
上記外れルート２７ｂは、当たりルート２７ａに隣接するように遊技盤１０の奥側（図７の右側、図８の上側）に設けられており、レール状凹部２８に導入されずにリブ２９と内壁部５９とで区画された経路を通った遊技球Ｂａを一旦着地させて外れ領域２０ｂに案内する上記段差面５８を有している。該段差面５８から外れ領域２０ｂに進入した遊技球Ｂａは、そのまま下面に着地して該下面の傾斜に沿って転がり移動し、図８の矢印ｅ方向に流動して排出経路４９を通って排出口５１から排出される。外れルート２７ｂは、不正行為者により球皿６やガラス扉５等が強く叩かれて（所謂ドツキをされて）振動が加わった際に、通過する遊技球Ｂａを外れ領域２０ｂ側に強制的に移行させるように構成される。
【００４３】
上記当たり領域２０ａには、近接センサからなる入賞検出センサ４８がその検知孔４８ａを臨ませている。該検知孔４８ａの下流側（図８の左側）には、駆動モータ３７の回転を受けて回転軸４４ｃを中心に一方向に低速回転する回転部材（障害部材）４４が配置されている。該回転軸４４ｃは、図８における検知孔４８ａの円周の左端部に配置されている。上記回転部材４４は、図８の平面視において略々半円状に形成されており、外側の円弧面４４ａが検知孔４８ａ上に位置した際には該検知孔４８ａへの遊技球Ｂａの進入は阻止されて外れ領域２０ｂ側に移動され、かつ内側の円弧面４４ｂが図８のように検知孔４８ａに対向した際には、該検知孔４８ａへの遊技球Ｂａの進入を許容する。これにより、検知孔４８ａを通過した遊技球Ｂａは、そのまま下面に着地して傾斜に沿って外れ領域２０ｂ側に転動し、図８の矢印ｅ方向に流動して排出経路４９を通って排出口５１から排出される。該排出口５１から排出された遊技球Ｂａは、不図示の経路を通って遊技盤１０の裏面側に排出される。
【００４４】
上記当たりルート２７ａと外れルート２７ｂとの中間部分には、リブ２９の下流側に位置して該リブ２９から下流側に延在するように隔壁４７が形成されている。該隔壁４７は、リブ２９側から転がり移動してきた遊技球Ｂａを当接させ得る高さを有するが、下側は、段差面５７と段差面５８とを転がり移動する遊技球Ｂａを妨げない程度の隙間をあけている。また、カバー部材４５の下側部４５ｄの手前側（図７の左側、図８の下側）には、カバー部材４５の上下方向に延びるように回動軸５２が配置されている。該回動軸５２には、一端が取り付けられ且つ他端（自由端）が図８の破線位置（当たり案内位置）と二点鎖線位置（外れ案内位置）との間を一定の時間間隔で回動して遊技球Ｂａの流れを当たりルート２７ａ及び外れルート２７ｂの何れかに振り分ける振分け板部材５３が設けられている。該振分け板部材５３の上部側には、図３〜図６に示すように、不図示のカム機構等の連動機構を介して振分け板部材５３を当たり案内位置と外れ案内位置とに回動移動させる振分け板部材駆動ソレノイド４１が配置されている。なお、図５の符号６１は、該振分け板部材駆動ソレノイド４１のプランジャに連結された連動部材４１ａに振分け板部材５３の一部を連結させて上記連動機構を構成するためのカム溝である。また、図４及び図８における符号ｂは、遊技球Ｂａを当たり領域２０ａと外れ領域２０ｂの何れかに選別するための有効経路を示しており、図７における符号ｄは、当たりルート２７ａ及び外れルート２７ｂを合わせた経路幅を示している。
【００４５】
上記回転振分け部５４は、図３〜図６に示すように、カバー部材４５の中央部４５ｂの左側部に固定された駆動モータ３７と、該駆動モータ３７のギヤ機構部３７ａの回転軸（図示せず）に回転中心３８ａを嵌着した大径ギヤ３８と、回転部材４４の回転軸４４ｃ（図８参照）に回転中心３９ａを嵌着した小径ギヤ３９とを有している。なお、これらギヤ３８，３９は、いずれも歯面が図示省略されている。また、図４及び図６における矢印ｃは、着地面５５から機械的抽選部６２の当たりルート２７ａ及び段差面５７を通る遊技球Ｂａが、入賞検出センサ４８の検知孔４８ａに落下して検出される様子を示している。
【００４６】
以上の構成を備えたパチンコ機ＰＭでは、開閉部材４６の回動動作で第２大入賞口１４が開放されたときに第２の抽選を行うことが可能となり、ソフト的な抽選手段（図示せず）を用いた第１の遊技（抽選）と、第２大入賞口１４を用いた第２の遊技（抽選）とをそれぞれ独立して行う。従って、２種類の遊技を効果的に組み合わせ、それぞれの遊技性を十分に発揮させることができ、遊技性の向上を図ることが可能になる。
【００４７】
そして、このような構成を有するパチンコ機ＰＭは、図１に示すように、前枠２、ガラス扉５及び球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲーム（弾球遊技）が展開される。
【００４８】
遊技領域ＰＡに打ち出された遊技球が始動入賞装置１３又は１７に入賞すると、ソフト的な抽選手段（図示せず）により所定の抽選ソフトウエアを利用した特別図柄抽選（第１の抽選）が行われ、画像表示装置１２において特別図柄及び装飾図柄が所定時間だけ変動表示される。変動停止時の特別図柄が「大当たり」を示す図柄であった場合には、特別遊技に移行する。特別図柄が大当たりの図柄で停止するとき、画像表示装置１２の表示面１２ａには、３つの図柄を一致させるような表示態様（例えば「７７７」）が表示される。また、変動停止時の特別図柄が「小当たり」を示す図柄であった場合には、画像表示装置１２の表示面１２ａには、例えば「７７６」といった予め定められた態様が表示される。
【００４９】
第１の特別遊技における大当たりが当選した際は、第１大入賞口１６ａが例えば１５回開放される。つまり、第１大入賞口１６ａが約３０秒間開放された後、または９球以上の遊技球が第１大入賞口１６ａに入賞した後、該第１大入賞口１６ａが一旦閉鎖され、該第１大入賞口１６ａの開閉動作が所定回数（例えば１５回）継続して繰り返される。
【００５０】
なお、遊技球がセンター飾り１００のワープ導入口４２を介して放出口４３からステージＳに放出された際には、遊技球がステージＳの上を一時的に停留するように左右へ転動し、最終的にはステージＳの凹部２９ａ，２９ｂのいずれかから始動入賞装置１３に向けて落下する。
【００５１】
一方、第１の特別遊技における小当たりが当選した際は、第２大入賞口１４が開閉動作される。これは、第２大入賞口１４における開閉部材４６が、不図示の第２大入賞口ソレノイドによって約２秒間の開放状態を３回繰り返すものである。
【００５２】
そして、上記小当たりにおいて第２大入賞口１４から入賞した遊技球Ｂａが、振分け部２７で当たりルート２７ａに振り分けられて当たり領域２０ａに進入し、入賞検出センサ４８で検出されると、第１の特別遊技における小当たりが大当たりに発展し、不図示の制御部の制御により、第１大入賞口１６ａの開閉動作が複数回（例えば１５回）継続されることになり、相当数の賞球を期待することができる。
【００５３】
この場合、入球役物２１では、以下のように動作する。即ち、遊技領域ＰＡに打ち出された遊技球Ｂａが、開閉部材４６が開放した第２大入賞口１４に入球すると、該遊技球Ｂａは、導入部４５ｃを経由して遊技球導入口２２ａに導かれ、入賞検出センサ２６の検知孔２６ａに落下して着地面５５に当接し、該着地面５５の傾斜に沿って機械的抽選部６２側に流下する。この際、機械的抽選部６２において振分け板部材５３が図８の破線位置（当たり案内位置）にあれば、遊技球Ｂａは、レール状凹部２８に案内されて段差面５７を経由し、当たり領域２０ａに至る。その際、回転部材４４が外側の円弧面４４ａを検知孔４８ａ上に位置させていれば、該遊技球Ｂａは、検知孔４８ａへの遊技球Ｂａの進入を阻止され、段差面５７の緩い傾斜に沿って段差面５８側に転動して外れ領域２０ｂに移動し、排出経路４９を通って排出口５１から排出される。また、回転部材４４が内側の円弧面４４ｂを検知孔４８ａに対向させていれば、該遊技球Ｂａは、検知孔４８ａに進入した後、排出経路４９を通って排出口５１から排出される。
【００５４】
一方、機械的抽選部６２において、振分け板部材５３が図８の二点鎖線位置（外れ案内位置）にあれば、振分け板部材５３に案内されてリブ２９及び内壁部５９間を通り段差面５８を経由して外れ領域２０ｂに到達して落下し、排出経路４９を通って排出口５１から排出されることになる。
【００５５】
ここで例えば、悪意の遊技者（不正行為者）が、球皿６やガラス扉５等を強く叩いて衝撃を与え、当たり領域２０ａから外れようとする遊技球Ｂａを該当たり領域２０ａに無理矢理進入させようとしても、当該不正行為は以下のように阻止される。即ち、本入球役物２１では、機械的抽選部６２の振分け部２７が、第２大入賞口１４から導入された遊技球Ｂａを当たり領域２０ａに案内する当たりルート２７ａと、第２大入賞口１４から導入された遊技球Ｂａを外れ領域２０ｂに案内すると共に遊技盤１０と略々垂直な方向に衝撃が作用した際の該衝撃の作用方向にて隣接する外れルート２７ｂとを有し、かつ当たりルート２７ａを遊技球Ｂａが転動している際に遊技盤１０と略々垂直な方向に振動が作用した際に該遊技球Ｂａを外れ領域２０ｂ側に移行させるように構成されている。
【００５６】
このため、遊技球Ｂａが振分け部２７で当たりルート２７ａ側に振り分けられて当たり領域２０ａに向けて転がり移動する際に回転部材４４が阻止位置にあるとき、不正行為者が球皿６等を強く叩いて衝撃を与え、その振動で当たりルート２７ａでの遊技球Ｂａの移動を遅らせて、回転部材４４が許容位置に移動するまでの時間稼ぎをしようとしても、振分け部２７に振動が作用した時点で遊技球Ｂａが外れ領域２０ｂ側に移行する。このように、叩くと遊技球Ｂａが不利な方向に移動するように機械的に構成し、所謂ドツキの行為自体を機構上無意味にすることで、ドツキを何度か試す不正行為者に、やっても無駄だということを認識させ、不正行為を極めて有効に抑止することができる。そして、球皿６等に振動が加わった場合に、通過している遊技球Ｂａを外れ領域２０ｂに機械的に導くように構成されるため、比較的簡単な構成で不正行為防止構造を実現することができ、従って、センサを複数設けてその検知能力に依存するような従前の技術に比して極めて廉価に提供することができる。
【００５７】
また、本実施の形態では、当たりルート２７ａが、当たり領域２０ａの直前位置にて遊技球Ｂａを外れ領域２０ｂ側に移動させ得るように緩く傾斜した段差面（移動可能面）５７を有するので、回転部材４４により当たり領域２０ａへの進入を阻止された遊技球Ｂａを外れ領域２０ｂ側に円滑に移動させることができると共に、当たり領域２０ａの直前位置に遊技球Ｂａがあるときに振動が加えられた際に該遊技球Ｂａを外れ領域２０ｂ側に確実に移行させることができる。
【００５８】
更に、本実施の形態では、振分け部２７の前段には、第２大入賞口１４から導入された遊技球Ｂａを当たりルート２７ａ及び外れルート２７ｂの何れかに振り分けるように一定の時間間隔で回動する振分け板部材５３が配置され、かつ当たりルート２７ａには、振分け板部材５３が該当たりルート２７ａ側に遊技球Ｂａを振り分けた際に該遊技球Ｂａを当たり領域２０ａに案内するように延在するレール状凹部２８が設けられている。このため、該レール状凹部２８に遊技球Ｂａが案内されて当たり領域２０ａに向かっている際に不正行為者が振動を与えた場合にも、該遊技球Ｂａをレール状凹部２８から外れルート２７ｂ側に落下させて、該外れルート２７ｂを介して外れ領域２０ｂ側に転動させるようにすることができる。
【００５９】
また、図８の二点鎖線位置（外れ案内位置）にある振分け板部材５３に案内された遊技球Ｂａがリブ２９及び内壁部５９間を通るタイミングで所謂ドツキによる衝撃が加わった際に、内壁部５９で跳ね返った該遊技球Ｂａが当たりルート２７ａ側に移動しようとしても、内壁部５９側に傾斜するリブ２９が該遊技球Ｂａの移動を阻止するので、この場合にもドツキによる不正な当たり当選を防止することができる。
【００６０】
また、本実施の形態では、外れルート２７ｂが当たりルート２７ａの奥側（着座している遊技者から遠い側）に形成されているので、不正行為者が叩いた力が作用する方向に遊技球Ｂａを自然な形で移動させ、遊技球Ｂａを外れ領域２０ｂ側に、より効果的に移動させることができる。
【００６１】
なお、球皿６等が叩かれた際の振動の伝わり方の工夫によっては、上記外れルート２７ｂを当たりルート２７ａの手前側（着座している遊技者側）に形成するような構成も考えられる。その場合は、球皿６等が強く叩かれた際の振分け部２７全体の瞬間的な微移動に対して遊技球Ｂａが慣性で残るように構成することで、当たりルート２７ａの手前側の外れルート２７ｂ側に移動させることが可能になる。このような構成にした場合にも、前述した実施の形態と略々同様の作用効果を得ることが可能になる。
【００６２】
以上、本発明をその好適な実施形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【産業上の利用可能性】
【００６３】
本発明に係る弾球遊技機は、パチンコ機、アレンジボール遊技機、回胴式パチンコ遊技機機等のように遊技球を遊技領域に打ち出して遊技するものに用いて好適である。
【符号の説明】
【００６４】
１０    遊技盤
１４    入賞口（第２大入賞口）
２０ａ    当たり領域
２０ｂ    外れ領域
２１    入球役物
２７    振分け部
２７ａ    当たりルート
２７ｂ    外れルート
２８    レール状凹部
４４    障害部材（回転部材）
４５    カバー部材
４６    開閉部材
５３    振分け板部材
５７    移動可能面（段差面）
６２    機械的抽選部
ＰＡ    遊技領域
ＰＭ    弾球遊技機（パチンコ機）
【図１】
2010167100.tif 000003
【図２】
2010167100.tif 000004
【図３】
2010167100.tif 000005
【図４】
2010167100.tif 000006
【図５】
2010167100.tif 000007
【図６】
2010167100.tif 000008
【図７】
2010167100.tif 000009
【図８】
2010167100.tif 000010